(57)【要約】【課題】この発明は、テレビ番組の視聴中に受信状態が悪くなった場合に、ネットワークが異なる他の放送波によって視聴番組と同一番組が放送されているときには、視聴番組を上記同一番組に自動的に切り替えることが可能となるテレビジョン受像機を提供することを目的とする。【解決手段】  視聴番組の電界強度が所定レベル未満になったときには、視聴番組の放送波とネットワークが異なる他の放送波によって視聴番組と同一の番組が現在放送されているか否かを、番組情報に基づいて判別する手段、視聴番組の放送波とネットワークが異なる他の放送波によって視聴番組と同一の番組が現在放送されていると判別した場合には、その同一番組の電界強度が所定レベル以上であるか否かを判別する手段、ならびに上記同一番組の電界強度が所定レベル以上であると判別した場合には、視聴番組を上記同一番組に自動的に切り替える手段を備えている。【選択図】図１
2007129572.tif 000002
【特許請求の範囲】
【請求項１】
ネットワークが異なる複数種類の放送波を受信する機能を備えたテレビジョン受像機において、
各放送波毎に番組情報を受信して保持する第１手段、
視聴番組の電界強度を監視する第２手段、
視聴番組の電界強度が所定レベル未満になったときには、視聴番組の放送波とネットワークが異なる他の放送波によって視聴番組と同一の番組が現在放送されているか否かを、第１手段によって保持されている番組情報に基づいて判別する第３手段、
視聴番組の放送波とネットワークが異なる他の放送波によって視聴番組と同一の番組が現在放送されていると判別した場合には、その同一番組の電界強度が所定レベル以上であるか否かを判別する第４手段、ならびに
上記同一番組の電界強度が所定レベル以上であると判別した場合には、視聴番組を上記同一番組に自動的に切り替える第５手段、
を備えていることを特徴とするテレビジョン受像機。
【発明の詳細な説明】
【技術分野】
【０００１】
この発明は、テレビジョン受像機に関する。
【背景技術】
【０００２】
ＢＳデジタル放送では、通常放送波に加えて、比較的電波障害に強い伝送方式を用いた放送波を同時に伝送している場合がある。そこで、テレビジョン受像機では、ＢＳデジタル放送を受信している場合に、通常放送波の受信状態が悪くなると、自動的に障害に強い放送波に切り替えるようにしている。
【０００３】
しかしながら、上記のような２種類の放送波を同時に伝送するといったことは全てのチャンネルにおいて行なわれていない。また障害に強い放送波は伝送容量が少ないため、障害に強い放送波による映像の解像度は、通常放送波による映像の解像度に比べて一般的に低い。
【０００４】
ＢＳデジタル放送以外の放送波では、受信状態が悪くなった場合の対応については考慮されていない。
【発明の開示】
【発明が解決しようとする課題】
【０００５】
この発明は、テレビ番組の視聴中に受信状態が悪くなった場合に、ネットワークが異なる他の放送波によって視聴番組と同一番組が放送されているときには、視聴番組をネットワークが異なる他の放送波によって放送されている同一番組に自動的に切り替えることが可能となるテレビジョン受像機を提供することを目的とする。
【課題を解決するための手段】
【０００６】
請求項１に記載の発明は、ネットワークが異なる複数種類の放送波を受信する機能を備えたテレビジョン受像機において、ネットワークが異なる放送波毎に番組情報を受信して保持する第１手段、視聴番組の電界強度を監視する第２手段、視聴番組の電界強度が所定レベル未満になったときには、視聴番組の放送波とネットワークが異なる他の放送波によって視聴番組と同一の番組が現在放送されているか否かを、第１手段によって保持されている番組情報に基づいて判別する第３手段、視聴番組の放送波とネットワークが異なる他の放送波によって視聴番組と同一の番組が現在放送されていると判別した場合には、その同一番組の電界強度が所定レベル以上であるか否かを判別する第４手段、ならびに上記同一番組の電界強度が所定レベル以上であると判別した場合には、視聴番組を上記同一番組に自動的に切り替える第５手段を備えていることを特徴とする。
【発明の効果】
【０００７】
この発明によれば、テレビ番組の視聴中に受信状態が悪くなった場合に、ネットワークが異なる他の放送波によって視聴番組と同一番組が放送されているときには、視聴番組をネットワークが異なる他の放送波によって放送されている同一番組に自動的に切り替えることが可能となる。
【発明を実施するための最良の形態】
【０００８】
以下、図面を参照して、この発明を地上波アナログ放送と、デジタル放送とを受信する機能を備えたテレビジョン受像機に適用した場合の実施例について説明する。
【実施例１】
【０００９】
図１は、テレビジョン受像機の構成を示している。
【００１０】
アナログ放送波は、アナログ放送用アンテナ１を介してアナログ放送用チューナ２に送られて復調が行なわれる。デジタル放送波は、デジタル放送用アンテナ３を介してデジタル放送用チューナ４に送られて復調が行なわれる。
【００１１】
アナログ放送用チューナ２の出力は、アナログ放送用ＡＶデコーダ６に送られる。アナログ放送用ＡＶデコーダ６は、アナログ放送用チューナ２から送られてきた映像信号および映像信号を復調するとともに、番組情報等の付属情報を抽出する。アナログ放送用ＡＶデコーダ６によって得られた映像信号は、セレクタ２１を介して、映像処理回路８に送られる。アナログ放送用ＡＶデコーダ６によって得られた音声信号は、セレクタ２２を介して、音声処理回路１２に送られる。アナログ放送用ＡＶデコーダ６によって抽出された付属情報は、システムコントローラ１７に送られる。このような付属情報は、例えば、ＡＤＡＭＳ（TV-Asahi Data and Multimedia Service) 方式で電波に重畳されている。
【００１２】
デジタル放送用チューナ４の出力は、ＤＥＭＵＸ回路５に送られ、パケットの復号が行なわれる。ＤＥＭＵＸ回路５において、パケットは、映像情報と、音声情報と、番組情報等の付属情報とに分別される。ＤＥＭＵＸ回路５によって分別された映像情報および音声情報はデジタル放送用ＡＶデコーダ７に送られる。ＤＥＭＵＸ回路５によって分別された付属情報はシステムコントローラ１７に送られる。
【００１３】
デジタル放送用ＡＶデコーダ７は、ＤＥＭＵＸ回路５から送られてきた映像情報および音声情報を復調する。デジタル放送用ＡＶデコーダ７によって得られた映像信号は、セレクタ２１を介して、映像処理回路８に送られる。デジタル放送用ＡＶデコーダ７によって得られた音声信号は、セレクタ２２を介して、音声処理回路１２に送られる。
【００１４】
システムコントローラ１７は、アナログ放送の番組を選局する場合には、アナログ放送用チューナ２に選局のための制御信号を送り、デジタル放送の番組を選局する場合には、デジタル放送用チューナ４およびＤＥＭＵＸ回路５に選局のための制御信号を送る。また、システムコントローラ１７は、番組案内画面、各種設定画面、メッセージ等をオンスクリーン表示させるためのＯＳＤ制御信号をＯＳＤ表示回路１８に送る。ＯＳＤ表示回路１８は、ＯＳＤ表示データを生成してマルチプレクサ（合成回路）９に送る。
【００１５】
システムコントローラ１７は、アナログ放送用ＡＶデコーダ６から送られてきた番組情報や、ＤＥＭＵＸ回路５から送られてきた番組情報等のデータを不揮発性メモリ１９に格納する。システムコントローラ１７には、リモコン送信機１５からのリモコン信号がリモコン受光器１６を介して入力される。
【００１６】
また、システムコントローラ１７は、アナログ放送用ＡＶデコーダ６からの映像信号および音声信号と、デジタル放送用ＡＶデコーダ７からの映像信号および音声信号とを、セレクタ２１、２２を制御することにより、切り替える。
【００１７】
映像処理回路８によって得られた映像信号は、マルチプレクサ９に送られる。マルチプレクサ９は、映像処理回路８から出力された映像信号にＯＳＤ表示回路１８から送られてきた表示データをスーパインポーズ処理して、映像出力回路１０に送る。映像出力回路１０から出力される映像信号はＣＲＴ１１に送られる。
【００１８】
音声処理回路１２によって得られた音声信号は、音声出力回路１３を介してスピーカ１４に送られる。
【００１９】
この実施例では、デジタル放送番組を視聴中にその受信状態が悪くなったときにおいて、アナログ放送によって同じ番組が放送されている場合には、アナログ放送の同一番組に視聴番組を自動的に切り替えたり、アナログ放送番組を視聴中にその受信状態が悪くなったときにおいて、デジタル放送によって同じ番組が放送されている場合には、デジタル放送の同一番組に視聴番組を自動的に切り替えたりする機能（受信番組自動切り替え機能）を備えている。
【００２０】
図２は、受信番組自動切り替え機能を達成するためのシステムコントローラ１７の処理手順を示している。
【００２１】
まず、現在視聴されている番組の電界強度をチューナから取得する（ステップＳ１）。デジタル放送番組が視聴されている場合には、現在視聴されている番組の電界強度をデジタル放送用チューナ４から取得し、アナログ放送番組が視聴されている場合には、現在視聴されている番組の電界強度をアナログ放送用チューナ２から取得する。
【００２２】
次に、取得した電界強度が所定レベル以上であるか否かを判別する（ステップＳ２）。取得した電界強度が所定レベル以上である場合には、ステップＳ１に戻る。
【００２３】
上記ステップＳ２において、取得した電界強度が所定レベル未満であると判別した場合には、不揮発性メモリ１９に保持している番組情報に基づいて、アナログ放送およびデジタル放送のうち、現在選択している放送波とは異なる方の放送波によって、現在視聴されている番組と同じ番組が現在放送されているか否かを判別する（ステップＳ３）。
【００２４】
現在選択している放送波とは異なる方の放送波によって、現在視聴されている番組と同じ番組が現在放送されていないと判別した場合には、ステップＳ１に戻る。
【００２５】
上記ステップＳ３において、現在選択している放送波とは異なる方の放送波によって、現在視聴されている番組と同じ番組が現在放送されていると判別した場合には、現在選択している放送波とは異なる方の放送波の同一番組の選局動作を行なう（ステップＳ４）。ただし、セレクタ２１、２２は、切り替えない。
【００２６】
次に、現在選択している放送波とは異なる方の放送波の同一番組の電界強度をチューナから取得する（ステップＳ５）。そして、取得した電界強度が所定レベル以上であるか否かを判別する（ステップＳ６）。取得した電界強度が所定レベル未満である場合には、ステップＳ１に戻る。
【００２７】
上記ステップＳ６において、取得した電界強度が所定レベル以上であると判別した場合には、現在選択している放送波とは異なる方の放送波の同一番組が放映されるように、セレクタ２１、２２を制御する（ステップＳ７）。そして、ステップＳ１に戻る。
【００２８】
上記実施例では、デジタル放送とアナログ放送との間で、視聴番組を切り替えているが、ＣＳデジタル放送、ＢＳデジタル放送および地上波デジタル放送の間においても、視聴番組を切り替えられるようにしてもよい。つまり、ネットワークが異なる複数種類の放送波の間において、視聴番組を切り替えるようにすればよい。ただし、ＣＳデジタル放送、ＢＳデジタル放送および地上波デジタル放送の間においても、視聴番組を切り替えられるようにするためには、それぞれのデジタル放送毎にチューナが必要となる。
【図面の簡単な説明】
【００２９】
【図１】テレビジョン受像機の構成を示すブロック図である。
【図２】受信番組自動切り替え機能を達成するためのシステムコントローラ１７の処理手順を示すフローチャートである。
【符号の説明】
【００３０】
１  アナログ放送用アンテナ
２  アナログ放送用チューナ
３  デジタル放送用アンテナ
４  デジタル放送用チューナ
５  ＤＥＭＵＸ回路
６  アナログ放送用ＡＶデコーダ
７  デジタル放送用ＡＶデコーダ
２１、２２  セレクタ
１７  システムコントローラ
【図１】
2007129572.tif 000003
【図２】
2007129572.tif 000004